(57)【特許請求の範囲】
【請求項１】
ケーシング（１）内に、同一方向に指向した第１ダクト（１０）と第２ダクト（２０）とを並列に配置し、
上記第１ダクト（１０）内に第１ファン（１５）を収容し、上記第２ダクト（２０）内に第２ファン（２５）を収容し、
上記第１ダクト（１０）の第１吹出口（１１）と上記第２ダクト（２０）の第２吹出口（２１）とは、上記ケーシング（１）の一方に向いて開口しており、
上記第１ダクト（１０）の第１吹出口（１１）と上記第１ファン（１５）との距離は、上記第２ダクト（２０）の第２吹出口（２１）と上記第２ファン（２５）との距離よりも、大きく、かつ、上記第１ファン（１５）と上記第２ファン（２５）とは、軸方向に重ならないように、間隔をおいて配置されており、
上記第１ダクト（１０）および上記第２ダクト（２０）の外側で、かつ、上記第１ファン（１５）と上記第２ファン（２５）との間の位置または上記第１ファン（１５）軸と上記第２ファン（２５）軸とを含む平面に交差する方向において上記第２ファン（２５）を挟むような位置に、第１活性種生成装置（４１）および第２活性種生成装置（４２）を配置し、
上記第１活性種生成装置（４１）の第１吹出口（４１ｂ）は、上記第１ダクト（１０）または上記第１ダクト（１０）の上流に開口し、
上記第２活性種生成装置（４２）の第２吹出口（４２ｂ）は、上記第２ダクト（２０）または上記第２ダクト（２０）の上流に開口し、
上記第１活性種生成装置（４１）の第１吸込口（４１ａ）と上記第２活性種生成装置（４２）の第２吸込口（４２ａ）とは、連結ダクト（４５）の出口（４５ｂ）に、接続され、
上記連結ダクト（４５）の入口（４５ａ）は、上記第１ダクト（１０）に開口していることを特徴とする空気調和機。
【請求項２】
請求項１に記載の空気調和機において、
上記第１ダクト（１０）における上記第１ファン（１５）と上記第２ファン（２５）との間に位置する仕切部（１３）は、上記第１ダクト（１０）の第１吹出口（１１）側に向かって除々に通路を狭くするように、テーパ状に形成され、
このテーパ状の仕切部（１３）に、上記連結ダクト（４５）の入口（４５ａ）が設けられていることを特徴とする空気調和機。
【発明の詳細な説明】
【技術分野】
【０００１】
この発明は、例えば、空気清浄機やファンコイルなどの空気調和機に関する。
【背景技術】
【０００２】
従来、空気調和機としては、図６に示すように、ケーシング１０１内に、ダクト１１０と、活性種生成装置１４１とを備えたものがある（特開２００８−１２０６０号公報：特許文献１参照）。
【０００３】
上記ダクト１１０は、ケーシング１０１の上方に開口する吹出口１１１と、ケーシング１０１の前方に開口する吸込口１１２とを有し、ダクト１１０内に、吸込口１１２に対向する位置に、ファン１１５を収容していた。
【０００４】
上記活性種生成装置１４１は、ダクト１１０の側方の外側で、ファン１１５よりも上側に配置されていた。活性種生成装置１４１は、活性種を生成し、この活性種を空気中に放出する。また、活性種生成装置１４１の側方に、活性種生成装置１４１を作動するための（高圧電源などの）高電圧部品１３５を配置していた。
【０００５】
近年、空気調和機の風量を増加させるために、ファンおよびダクトを２つずつ設ける構成が考えられている。この際、各ファンのそれぞれに活性種生成装置を設ける要請がある。
【０００６】
そして、図６に示す上記従来の空気調和機において、風量の増加に対応してファンおよびダクトを２つずつ設ける場合、単純に、図６の空気調和機を上下に２つ並べる構成が想定される。つまり、ファン１１５の上方に別のファンを設けると共に、活性種生成装置１４１の上方に別の活性種生成装置を設けることが想定される。
【０００７】
しかしながら、この場合、活性種生成装置の高電圧部品１３５も、上下に２つ設ける必要があるため、空気調和機が大型になり、かつ、コストが増加する問題があった。
【先行技術文献】
【特許文献】
【０００８】
【特許文献１】特開２００８−１２０６０号公報
【発明の概要】
【発明が解決しようとする課題】
【０００９】
そこで、この発明の課題は、高電圧部品を共通化することにより、高電圧部品の数量を削減して、小型化および低コストを図ることができる空気調和機を提供することにある。
【課題を解決するための手段】
【００１０】
上記課題を解決するため、この発明の空気調和機は、
ケーシング内に、同一方向に指向した第１ダクトと第２ダクトとを並列に配置し、
上記第１ダクト内に第１ファンを収容し、上記第２ダクト内に第２ファンを収容し、
上記第１ダクトの第１吹出口と上記第２ダクトの第２吹出口とは、上記ケーシングの一方に向いて開口しており、
上記第１ダクトの第１吹出口と上記第１ファンとの距離は、上記第２ダクトの第２吹出口と上記第２ファンとの距離よりも、大きく、かつ、上記第１ファンと上記第２ファンとは、軸方向に重ならないように、間隔をおいて配置されており、
上記第１ダクトおよび上記第２ダクトの外側で、かつ、上記第１ファンと上記第２ファンとの間の位置または上記第１ファン軸と上記第２ファン軸とを含む平面に交差する方向において上記第２ファンを挟むような位置に、第１活性種生成装置および第２活性種生成装置を配置し、
上記第１活性種生成装置の第１吹出口は、上記第１ダクトまたは上記第１ダクトの上流に開口し、
上記第２活性種生成装置の第２吹出口は、上記第２ダクトまたは上記第２ダクトの上流に開口し、
上記第１活性種生成装置の第１吸込口と上記第２活性種生成装置の第２吸込口とは、連結ダクトの出口に、接続され、
上記連結ダクトの入口は、上記第１ダクトに開口していることを特徴としている。
【００１１】
この発明の空気調和機によれば、上記第１活性種生成装置および上記第２活性種生成装置は、上記第１ダクトおよび上記第２ダクトの外側で、かつ、上記第１ファンと上記第２ファンとの間の位置または上記第２ファンを挟むような位置に、配置されているので、第１活性種生成装置と第２活性種生成装置とを互いに近接して配置できる。
【００１２】
このため、例えば、上記第１ファンと上記第２ファンとの間で、第１活性種生成装置と第２活性種生成装置との間に、第１、第２活性種生成装置の（高圧電源などの）高電圧部品を共通化して配置することができる。
【００１３】
したがって、高電圧部品の数量を削減して、空気調和機の小型化とコストの低減とを図ることができる。
【００１４】
また、一実施形態の空気調和機では、
上記第１ダクトにおける上記第１ファンと上記第２ファンとの間に位置する仕切部は、上記第１ダクトの第１吹出口側に向かって除々に通路を狭くするように、テーパ状に形成され、
このテーパ状の仕切部に、上記連結ダクトの入口が設けられている。
【００１５】
この実施形態の空気調和機によれば、上記第１ファンと上記第２ファンとの間に位置する仕切部は、テーパ状に形成され、このテーパ状の仕切部に、上記連結ダクトの入口が設けられているので、第１ファンから吹き出される空気は、テーパ状の仕切部に設けられている連結ダクトの入口を通って、円滑に連結ダクト内に入って第１、第２活性種生成装置内に導かれる。
【００１６】
したがって、上記第１ダクトから上記第１、第２活性種生成装置への流路抵抗を小さくして、空気の流れによる騒音および振動や、風損を防止できる。
【発明の効果】
【００１７】
この発明の空気調和機によれば、上記第１、第２吹出口がケーシングの一方に開口した第１、第２ダクトを並列に配置し、上記第１活性種生成装置および上記第２活性種生成装置を、上記第１ダクトおよび上記第２ダクトの外側で、かつ、上記第１ファンと上記第２ファンとの間の位置または上記第２ファンを挟むような位置に、配置しているので、高電圧部品を共通化でき、高電圧部品の数量を削減して、小型化および低コストを図ることができる。
【図面の簡単な説明】
【００１８】
【図１Ａ】本発明の空気調和機の一実施形態である空気清浄機の側方からみた簡略構成図である。
【図１Ｂ】空気清浄機の正面からみた簡略構成図である。
【図１Ｃ】空気清浄機の平面からみた簡略構成図である。
【図２】空気清浄機の分解斜視図である。
【図３】活性種生成装置のダクトを示す斜視図である。
【図４】活性種生成装置からの空気の流れを説明する説明図である。
【図５】空気清浄の空気流れを説明する説明図である。
【図６】従来の空気調和機の正面からみた簡略構成図である。
【発明を実施するための形態】
【００１９】
以下、この発明を図示の実施の形態により詳細に説明する。
【００２０】
図１Ａは、この発明の空気調和機の一実施形態である空気清浄機の側方からみた簡略構成図を示している。図１Ｂは、空気清浄機の正面からみた簡略構成図を示し、図１Ｃは、空気清浄機の平面からみた簡略構成図を示している。
【００２１】
図１Ａ、図１Ｂおよび図１Ｃに示すように、この空気清浄機は、ケーシング１と、このケーシング１内に配置された第１ダクト１０および第２ダクト２０とを有する。図１Ｃでは、第１ダクト１０および第２ダクト２０を省略して描いている。この明細書では、空気清浄機の正面側を前側とし、空気清浄機を正面からみた左右方向を左右側とする。
【００２２】
上記第１ダクト１０と上記第２ダクト２０とは、並列に配置され、同一方向に指向している。第１ダクト１０は、第２ダクト２０の後方および下方に位置している。第１ダクト１０と第２ダクト２０とは、一部分重なっており、この重なり部分は、共通の仕切部材を用いている。
【００２３】
上記第１ダクト１０の第１吹出口１１と上記第２ダクト２０の第２吹出口２１とは、上記ケーシング１の上方（一方）に向いて開口している。第１ダクト１０の第１吸込口１２と第２ダクト２０の第２吸込口２２とは、ケーシング１の前面（他の面）に向いて開口している。
【００２４】
上記第１ダクト１０内に、第１ファン１５を収容している。上記第２ダクト２０内に、第２ファン２５を収容している。第１吸込口１２に第１ファン１５が対向し、第２吸込口２２に第２ファン２５が対向している。第１ファン１５および第２ファン２５は、例えば、シロッコファンやターボファンなどの遠心多翼ファンである。
【００２５】
上記第１ダクト１０の第１吹出口１１と上記第１ファン１５との距離は、上記第２ダクト２０の第２吹出口２１と上記第２ファン２５との距離よりも、大きい。第１ファン１５は、第２ファン２５の後方および下方に配置されている。第１ファン１５の軸と第２ファン２５の軸とは、平行に配置されている。第１ファン１５と第２ファン２５とは、互いに、軸方向に重ならないように、軸直交方向に間隔をおいて配置されている。
【００２６】
上記第１ダクト１０の第１吸込口１２から後方へ、順に、上記第１ファン１５を駆動する第１ファンモータ１６と、上記第１ファン１５とを配置している。上記第２ダクト２０の第２吸込口２２から後方へ、順に、上記第２ファン２５を駆動する第２ファンモータ２６と、上記第２ファン２５とを配置している。
【００２７】
上記第１ダクト１０は、上記第１ファン１５と上記第２ファン２５との間に位置する仕切部１３を有する。この仕切部１３は、第１ファン１５の下流に位置する。仕切部１３は、第１ダクト１０の第１吹出口１１側に向かって除々に通路を狭くするように、テーパ状に形成されている。
【００２８】
上記第１ダクト１０の第１吸込口１２の上流に、機能部材の一例としての第１エアフィルタユニット３１が配置されている。第１エアフィルタユニット３１は、第１ダクト１０の前方に位置している。
【００２９】
上記第２ダクト２０の第２吸込口２２の上流に、機能部材の一例としての第２エアフィルタユニット３２が配置されている。第２エアフィルタユニット３２は、第２ダクト２０の前方に位置している。
【００３０】
上記第１ダクト１０および上記第２ダクト２０の外側で、かつ、上記第１ファン１５と上記第２ファン２５との間の位置に、第１活性種生成装置４１および第２活性種生成装置４２を配置している。第１、第２活性種生成装置４１，４２は、活性種を生成し、この活性種を空気中に放出する。
【００３１】
上記第１、第２活性種生成装置４１，４２は、それぞれ、前後方向に延在している。第１、第２活性種生成装置４１，４２は、第１ファン１５軸と第２ファン２５軸とを含む平面に直交する左右方向に、互いに間隔をおいて配置されている。第１、第２活性種生成装置４１，４２は、第１ダクト１０の前方で第２ダクト２０の下方に位置し、第１エアフィルタユニット３１と第２エアフィルタユニット３２との間に位置する。
【００３２】
上記第１活性種生成装置４１の前部と上記第２活性種生成装置４２の前部との間で、第１エアフィルタユニット３１と第２エアフィルタユニット３２との間に、第１、第２活性種生成装置４１，４２を作動するための高圧電源などの高電圧部品３３を配置している。
【００３３】
上記第１活性種生成装置４１の第１吹出口４１ｂは、第１ダクト１０の第１吸込口１２の上流で、第１エアフィルタユニット３１の上流に開口している。つまり、第１活性種生成装置４１の第１吹出口４１ｂは、第１活性種生成装置４１の前部において下方に開口し、第１エアフィルタユニット３１の上流に指向している。
【００３４】
上記第２活性種生成装置４２の第２吹出口４２ｂは、第２ダクト２０の第２吸込口２２の上流で、第２エアフィルタユニット３２の上流に開口している。つまり、第２活性種生成装置４２の第２吹出口４２ｂは、第２活性種生成装置４２の前部において上方に開口し、第２エアフィルタユニット３２の上流に指向している。
【００３５】
上記第１活性種生成装置４１の第１吸込口４１ａは、第１活性種生成装置４１の後部において後方に開口している。上記第２活性種生成装置４２の第２吸込口４２ａは、第２活性種生成装置４２の後部において後方に開口している。
【００３６】
上記第１活性種生成装置４１の第１吸込口４１ａと上記第２活性種生成装置４２の第２吸込口４２ａとは、連結ダクト４５の出口４５ｂ，４５ｂに、接続されている。
【００３７】
上記連結ダクト４５は、左右方向に延在している。連結ダクト４５は、第１ダクト１０と第２ダクト２０との間に、配置されている。連結ダクト４５と第１、第２ダクト１０，２０とは、一部分重なっており、この重なり部分は、共通の仕切部材を用いている。この共通の仕切部材の一つとして、第１ダクト１０の仕切部１３がある。
【００３８】
上記連結ダクト４５の左右方向両端部のそれぞれに、出口４５ｂ，４５ｂが設けられ、一方の出口４５ｂが、第１活性種生成装置４１の第１吸込口４１ａに接続され、他方の出口４５ｂが、第２活性種生成装置４２の第２吸込口４２ａに接続されている。
【００３９】
上記連結ダクト４５の左右方向中途部に、入口４５ａが設けられ、この入口４５ａは、第１ダクト１０に開口している。つまり、この入口４５ａは、テーパ状の仕切部１３に設けられている。
【００４０】
次に、上記構成の空気清浄機の作用を説明する。なお、図中、空気の流れを矢印にて示す。
【００４１】
図１Ａに示すように、上記ケーシング１の上側に配置されている第２ファン２５の回転により、ケーシング１の前面から第２エアフィルタユニット３２を通過した空気は、第２ダクト２０の第２吸込口２２から第２ダクト２０内に吸い込まれ、第２ダクト２０の第２吹出口２１から吹き出される。
【００４２】
また、上記ケーシング１の下側に配置されている第１ファン１５の回転により、ケーシング１の前面から第１エアフィルタユニット３１を通過した空気は、第１ダクト１０の第１吸込口１２から第１ダクト１０内に吸い込まれ、第１ダクト１０の第１吹出口１１から吹き出される。
【００４３】
このとき、上記第１ファン１５は、第１ファンモータ１６よりも、第１ダクト１０の第１吸込口１２から離れた位置にあるので、第１ファン１５から吹き出される空気の大部分は、仕切壁１３に当たらずに第１吹出口１１に向かう。
【００４４】
一方、第１ファン１５から吹き出される空気の一部分は、図１Ａと図１Ｃに示すように、テーパ状の仕切部１３に設けられている連結ダクト４５の入口４５ａを通って、円滑に連結ダクト４５内に入って第１、第２活性種生成装置４１，４２内に導かれる。このとき、第１ダクト１０から第１、第２活性種生成装置４１，４２への流路抵抗が小さくなって、空気の流れによる騒音および振動や、風損を防止できる。
【００４５】
そして、上記第１活性種生成装置４１内に導かれた空気は、第１活性種生成装置４１によって生成され放出された活性種を含有してから、第１活性種生成装置４１の第１吹出口４１ｂから、第１エアフィルタユニット３１の上流に吹き出され、再度、第１エアフィルタユニット３１を通過する。
【００４６】
また、上記第２活性種生成装置４２内に導かれた空気は、第２活性種生成装置４２によって生成され放出された活性種を含有してから、第２活性種生成装置４２の第２吹出口４２ｂから、第２エアフィルタユニット３２の上流に吹き出され、再度、第２エアフィルタユニット３２を通過する。
【００４７】
次に、図２から図５を用いて、上記第１活性種生成装置４１および上記第１エアフィルタユニット３１の構成について、詳述する。なお、上記第２活性種生成装置４２および上記第２エアフィルタユニット３２の構成についても同様であるため、この説明を省略する。
【００４８】
図２に示すように、上記第１エアフィルタユニット３１は、ケーシング１の前方から第１ダクト１０（第１ファン１５）側へ、順に、プレフィルタ３５、プラズマイオン化部３６、静電フィルタ３７および脱臭フィルタ３８を有する。
【００４９】
上記プレフィルタ３５は、ケーシング１内に吸い込まれた空気が最初に通過するフィルタであり、比較的大きなホコリや塵を空気中から除去する。上記プラズマイオン化部３６は、通過する空気中に含まれる塵埃等の微粒子を帯電させる。上記静電フィルタ３７は、プラズマイオン化部３６を通過する際に帯電させられた塵埃などを捕集する。上記脱臭フィルタ３８は、空気中に含まれる臭気成分を吸着し分解して、脱臭する。
【００５０】
図２と図３に示すように、上記第１活性種生成装置４１は、活性種生成部４３と、この活性種生成部４３が着脱自在に取り付けられる装着部４４とを有する。
【００５１】
上記活性種生成部４３は、ストリーマ放電ユニットであり、ストリーマ放電を生起させることにより、静電フィルタ３７等に供給する活性種を生成し、空気流中に放出する。ストリーマ放電ユニットの詳細な構成は、特開２００８−１２０６０号公報に記載されている構成と同様であるため、説明を省略する。
【００５２】
上記装着部４４は、ダクト状に形成され、装着部４４の前面が開口しており、この開口部から活性種生成部４３が着脱自在に装着される。この装着部４４に、第１吸込口４１ａおよび第１吹出口４１ｂが設けられている。第１、第２活性種生成装置４１，４２の装着部４４，４４と連結ダクト４５とは、一体に連続して形成されている。
【００５３】
図２と図４に示すように、上記第１活性種生成装置４１の第１吹出口４１ｂから下方に吹き出された空気は、プラズマイオン化部３６に設けられた案内溝３６ａを通過して、プレフィルタ３５に設けられた孔部３５ａからプレフィルタ３５の前方に吹き出される。なお、図４中、空気の流れを矢印にて示す。
【００５４】
図５に示すように、上記第１活性種生成装置４１（上記活性種生成部４３）は、第１ファン１５によって生成された空気流の本流Ｆ１から分岐した分岐流Ｆ２に配置されている。そして、プレフィルタ３５、プラズマイオン化部３６、静電フィルタ３７および脱臭フィルタ３８を通過した後の清浄化された空気が、ストリーマ放電ユニットに送られる。ストリーマ放電ユニットを通り活性種を含んだ空気は、プレフィルタ３５の上流側に戻される。
【００５５】
上記構成の空気調和機の一例としての空気清浄機によれば、図１Ａと図１Ｂに示すように、上記第１活性種生成装置４１および上記第２活性種生成装置４２は、上記第１ダクト１０および上記第２ダクト２０の外側で、かつ、上記第１ファン１５と上記第２ファン２５との間の位置に、配置されているので、第１活性種生成装置４１と第２活性種生成装置４２とを互いに近接して配置できる。
【００５６】
このため、上記第１ファン１５と上記第２ファン２５との間で、第１活性種生成装置４１と第２活性種生成装置４２との間に、第１、第２活性種生成装置４１，４２を作動するための高圧電源などの高電圧部品３３を共通化して配置することができる。
【００５７】
したがって、高電圧部品３３の数量を削減して、空気調和機の小型化とコストの低減とを図ることができる。
【００５８】
なお、この発明は上述の実施形態に限定されない。例えば、第１、第２活性種生成装置を、第１ダクトおよび第２ダクトの外側で、かつ、第１ファン軸と第２ファン軸とを含む平面に交差する（例えば直交する）方向において第２ファンを挟むような位置に、配置してもよい。
【００５９】
また、第１ダクトの第１吹出口の下流に、第１エアフィルタユニットを配置し、第２ダクトの第２吹出口の下流に、第２エアフィルタユニットを配置するようにしてもよい。この場合、第１活性種生成装置の第１吹出口を第１ダクトに開口し、第２活性種生成装置の第２吹出口を第２ダクトに開口するようにしてもよい。
【００６０】
また、第１、第２活性種生成装置としては、ストリーマ放電ユニット以外に、オゾナイザーや、フィルタの除菌分解を行う活性種を生成する装置や、活性炭の再生を行う活性種を生成する装置などであってもよい。
【００６１】
また、第１ダクトの第１吹出口と第２ダクトの第２吹出口とを、ケーシングの上面以外の一面に向いて開口するようにしてもよい。さらに、第１、第２ダクトからケーシングの外側に空気を吹き出すためのケーシングの吹出口を、ケーシングの上面以外に、前面などに設けてもよい。また、第１ダクトの第１吸込口と第２ダクトの第２吸込口とを、ケーシングの前面以外の一面に向いて開口するようにしてもよい。
【００６２】
また、第１ダクトの第１吸込口から、順に、第１ファンと第１ファンモータとを配置するようにしてもよく、第２ダクトの第２吸込口から、順に、第２ファンと第２ファンモータとを配置するようにしてもよい。
【００６３】
また、空気調和機として、空気清浄機を例示して説明を行なったが、空気清浄機に限らず、除湿機、加湿機、冷房機、暖房機、あるいはこれらの機能を複数備えた装置など、空気調和機全般に適用が可能である。そして、空気調和機として冷房機や暖房機を用いた場合、機能部材として熱交換器を用いる。
【符号の説明】
【００６４】
１  ケーシング
１０  第１ダクト
１１  第１吹出口
１２  第１吸込口
１３  仕切部
１５  第１ファン
１６  第１ファンモータ
２０  第２ダクト
２１  第２吹出口
２２  第２吸込口
２５  第２ファン
２６  第２ファンモータ
３１  第１エアフィルタユニット（機能部材）
３２  第２エアフィルタユニット（機能部材）
３３  高電圧部品
４１  第１活性種生成装置
４１ａ  第１吸込口
４１ｂ  第１吹出口
４２  第２活性種生成装置
４２ａ  第２吸込口
４２ｂ  第２吹出口
４５  連結ダクト
４５ａ  入口
４５ｂ  出口
【図１Ａ】
0005397335.tif 000002
【図１Ｂ】
0005397335.tif 000003
【図１Ｃ】
0005397335.tif 000004
【図２】
0005397335.tif 000005
【図３】
0005397335.tif 000006
【図４】
0005397335.tif 000007
【図５】
0005397335.tif 000008
【図６】
0005397335.tif 000009